(57)【要約】【課題】衣類を干す際は１つずつ個別に扱うことができ、かつ、ハンガー同士の間隔が均一な複数のハンガーに複数の衣類をかけて干すことが可能な物干しハンガーを提供する。【解決手段】１組のフック部１と、主軸部２と、複数のハンガー部４とを備えた物干しハンガー１０であって、主軸部２は、複数のハンガー部４をそれぞれ１つずつ取り付けおよび取り外し可能な複数の引っ掛け部３を備えており、引っ掛け部３は、可撓性を有するとともに、先端にカギ部を備えており、ハンガー部４は、当該ハンガー部４の長手方向の中央付近に、引っ掛け部３を細く撓ませることにより引っ掛け部３を通すことが可能な大きさであり、かつ、引っ掛け部３を撓ませるのをやめた後に先端のカギ部により引っ掛け部３と嵌合して引っ掛け部３に固定される引っ掛け用穴を備えるとともに、当該引っ掛け用穴に対してハンガー部４の長手方向の両隣に位置する２ヶ所に、乾燥用穴を備える。【選択図】図１
2019202034.tif 000002
【特許請求の範囲】
【請求項１】
物干し竿またはフック掛けに掛けることが可能な１組のフック部と、当該フック部と一体型に形成された主軸部と、当該主軸部に取り付けおよび取り外し可能な複数のハンガー部とを備えた物干しハンガーであって、
前記主軸部は、前記複数のハンガー部をそれぞれ１つずつ取り付けおよび取り外し可能な複数の引っ掛け部を備えており、
前記引っ掛け部は、可撓性を有するとともに、先端にカギ部を備えており、
前記ハンガー部は、当該ハンガー部の長手方向の中央付近に、前記引っ掛け部を細く撓ませることにより前記引っ掛け部を通すことが可能な大きさであり、かつ、前記引っ掛け部を撓ませるのをやめた後に前記先端のカギ部により前記引っ掛け部と嵌合して前記引っ掛け部に固定される引っ掛け用穴を備えるとともに、当該引っ掛け用穴に対して前記ハンガー部の長手方向の両隣に位置する２ヶ所に、乾燥用穴を備える
ことを特徴とする物干しハンガー。
【請求項２】
前記１組のフック部は、前記主軸部の厚みの両側に１枚ずつ一対からなるものであることを特徴とする請求項１記載の物干しハンガー。
【発明の詳細な説明】
【技術分野】
【０００１】
この発明は、複数の衣類を干すことができる物干しハンガーに関するものである。
【背景技術】
【０００２】
通常、洗濯した衣類を干す際には、ハンガーが用いられている。この際、ハンガー同士の間隔を均一にすることにより均等に乾きやすくすることや、干した衣類を簡単に取り外すことができるようにすることを考慮したものとして、主軸に取り付けられた複数のハンガーに複数の衣類をかけて干すことができる物干しハンガーが知られている。（例えば、特許文献１，２等参照）
【先行技術文献】
【特許文献】
【０００３】
【特許文献１】特開２０１７−１８４７８６号公報
【特許文献２】特開２０１１−７８７１８号公報
【発明の概要】
【発明が解決しようとする課題】
【０００４】
しかしながら、例えば特許文献１，２等に示すような従来の物干しハンガーは、干した衣類を取り外す際の手間を省くことを目的とするものであり、折りたたみ可能な構造になっているが、干す際にはあまり干しやすいものではなく、使い勝手が良いものとは言えないという課題があった。
【０００５】
この発明は、上記のような課題を解決するためになされたものであり、衣類を干す際には１つずつ個別に扱うことができ、かつ、ハンガー同士の間隔が均一な複数のハンガーに複数の衣類をかけて干すことが可能な物干しハンガーを提供することを目的とする。
【課題を解決するための手段】
【０００６】
上記目的を達成するため、この発明は、物干し竿またはフック掛けに掛けることが可能な１組のフック部と、当該フック部と一体型に形成された主軸部と、当該主軸部に取り付けおよび取り外し可能な複数のハンガー部とを備えた物干しハンガーであって、前記主軸部は、前記複数のハンガー部をそれぞれ１つずつ取り付けおよび取り外し可能な複数の引っ掛け部を備えており、前記引っ掛け部は、可撓性を有するとともに、先端にカギ部を備えており、前記ハンガー部は、当該ハンガー部の長手方向の中央付近に、前記引っ掛け部を細く撓ませることにより前記引っ掛け部を通すことが可能な大きさであり、かつ、前記引っ掛け部を撓ませるのをやめた後に前記先端のカギ部により前記引っ掛け部と嵌合して前記引っ掛け部に固定される引っ掛け用穴を備えるとともに、当該引っ掛け用穴に対して前記ハンガー部の長手方向の両隣に位置する２ヶ所に、乾燥用穴を備えることを特徴とする。
【発明の効果】
【０００７】
この発明の物干しハンガーによれば、衣類を干す際には１つずつ個別に扱うことができるので使用者にとって取り扱いやすく、かつ、ハンガー部同士の間隔が均一な複数のハンガー部に複数の衣類をかけて干すことができるので、乾き具合も均一にすることができる。さらに、１つ１つのハンガー部の長手方向の２ヶ所に空洞（乾燥用穴）があることにより、洗濯物が早く乾くというメリットがある。また、物干しハンガーを使用しないときには、複数のハンガー部を取り外した状態で保管しておけるので、使わないときに場所をとらないというメリットもある。
【図面の簡単な説明】
【０００８】
【図１】実施の形態１における物干しハンガーの一例を示す斜視図である。
【図２】図１に示す物干しハンガーを真上から見た上面図である。
【図３】図１に示す物干しハンガーを正面から見た正面図である。
【図４】図１に示す物干しハンガーを右側または左側から見た側面図である。
【図５】図１に示す物干しハンガーにおいて、引っ掛け部３とハンガー部４の構造の一例を示す拡大図である。
【図６】図１に示す物干しハンガーにおいて、ハンガー部４が取り付けられていない（取り外されている）状態を示す斜視図と、取り外されたハンガー部４を重ね合わせた状態を示す図である。
【図７】図４に示すハンガー部４を他の形状のハンガー部５に置き換えた物干しハンガーを右側または左側から見た側面図である。
【図８】図５に示すハンガー部４を他の形状のハンガー部５に置き換えた物干しハンガーにおいて、引っ掛け部３とハンガー部５の構造の一例を示す拡大図である。
【図９】図６に示すハンガー部４を他の形状のハンガー部５に置き換えた物干しハンガーにおいて、ハンガー部５が取り付けられていない（取り外されている）状態を示す斜視図と、取り外されたハンガー部５を重ね合わせた状態を示す図である。
【図１０】図７〜図９に示すハンガー部５の断面形状と斜視図の一例を示す図である。
【図１１】引っ掛け部３の別の例として、引っ掛け部３にさらに突起３３が備えられている引っ掛け部３０の構造を示す図である。
【図１２】図７〜図９に示すハンガー部５の断面形状と斜視図の別の一例を示す図である。
【発明を実施するための形態】
【０００９】
この発明は、複数の衣類を干すことができる物干しハンガーに関するものである。
以下、この発明の実施の形態について、図面を参照しながら詳細に説明する。
【００１０】
実施の形態１．
図１は、この発明の実施の形態１における物干しハンガーの一例を示す斜視図である。この図１に示すとおり、この実施の形態１における物干しハンガー１０は、１組のフック部１と、主軸部２と、複数の引っ掛け部３と、複数のハンガー部４とを備えている。また、図２、図３、図４は、図１に示す物干しハンガー１０を真上から見た上面図、正面から見た正面図、右側または左側から見た側面図である。なお、この物干しハンガー１０の素材としては、プラスチック製や木製など、どのようなものであってもよい。
【００１１】
１組のフック部１は、物干し竿またはフック掛けに掛けることが可能な形状であればどのようなものでもよく、例えば、主軸部２の上面中央付近に「？」マークのような形状のフックが１つ形成されているようなものであってもよいが、この実施の形態１における１組のフック部１は、図１に示すとおり主軸部２の厚みの両側に１枚ずつ一対からなるものとする。
【００１２】
図３は、１組のフック部１を物干し竿に掛けた状態を示しており、このように２枚で１組のフック部１を両側から引っ掛けるような構造であれば、物干し竿に掛けた際の安定性がよく、外れにくい。また、１組のフック部１の１枚ずつの厚みは薄いが、それぞれが主軸部２の幅をあけて主軸部２に固定されているため、１枚ずつの厚みは薄くても安定して外れにくい上に、使用しないときには主軸部２の厚みの両側に添わせて収納することができるので、場所をとらない（後述する図６（ａ）参照）。ただし、図１，図３，図６（ａ）に示すフック部１はあくまでも一例であり、例えば傘の持ち手のように、先端の引っ掛ける部分をもっと長くすれば、物干し竿等に掛けた際により安定することは言うまでもない。なお、主軸部２にフック部１を固定するための留め具を図中では網掛け斜線で示している。
【００１３】
主軸部２は、フック部１と一体型に形成されており、複数のハンガー部４をそれぞれ１つずつ取り付けおよび取り外し可能な複数の引っ掛け部３を備えている。なお、この実施の形態１では、４つの引っ掛け部３を備えているものとして説明するが、複数の引っ掛け部３を備えているものであれば、４つ以下であっても、４つ以上であってもよく、主軸部２の長さと強度との兼ね合いで、適宜決定すればよい。
引っ掛け部３は、可撓性を有するとともに、先端にカギ部３１を備えている。なお、わかりやすくするために、図３および図４において、引っ掛け部３を斜線で示している。
【００１４】
ハンガー部４は、当該ハンガー部４の長手方向の中央付近に、引っ掛け部３を細く撓ませることにより引っ掛け部３を通すことが可能な大きさであり、かつ、引っ掛け部３を撓ませるのをやめた後に先端のカギ部３１により引っ掛け部３と嵌合して引っ掛け部３に固定される引っ掛け用穴４１を備えている。また、その引っ掛け用穴４１に対してハンガー部４の長手方向の両隣に位置する２ヶ所に、乾燥用穴４２を備えている（後述する図５参照）。
なお、ハンガー部４の数は、引っ掛け部３の数と同じ数である。
【００１５】
図５は、図１に示す物干しハンガー１０において、引っ掛け部３とハンガー部４の構造の一例を示す拡大図であり、図５（ａ）は斜視図、図５（ｂ）は引っ掛け部３を側面から見た図とハンガー部４を上面から見た図である。ここで、図５（ｂ）の破線が示すとおり、引っ掛け部３の可撓部３２を撓ませていない場合の可撓部３２の横幅と、ハンガー部４の中央付近に設けられた引っ掛け用穴４１の長手方向の幅は、同じ幅である。または、引っ掛け部３の可撓部３２を細く撓ませることにより引っ掛け部３を通すことが可能な大きさであれば、引っ掛け用穴４１の幅の方が少し小さい幅であってもよい。そして、図５（ａ），図５（ｂ）に示された矢印のように、引っ掛け部３がハンガー部４の引っ掛け用穴４１の中を通るように、引っ掛け部３とハンガー部４を嵌合させる。
【００１６】
この際、図５に示すように、引っ掛け部３にはスリットが設けられていることにより可撓部３２が形成され、先端にカギ部３１を備えている可撓部３２を使用者が指で挟んで両側から押さえることにより、引っ掛け部３の可撓部３２を細く撓ませることができる。その結果、ハンガー部４の引っ掛け用穴４１に引っ掛け部３を通すことが可能となり、ハンガー部４の引っ掛け用穴４１に引っ掛け部３を通してから撓ませることをやめれば、引っ掛け部３の先端のカギ部３１がハンガー部４に引っ掛かることにより、ハンガー部４は引っ掛け部３と嵌合して引っ掛け部３に固定される。なお、ハンガー部４を取り外す際にも、引っ掛け部３の可撓部３２を細く撓ませてからハンガー部４の引っ掛け用穴４１を通して抜けば、簡単に取り外すことができる。
【００１７】
また、ハンガー部４は、引っ掛け用穴４１に対してハンガー部４の長手方向の両隣に位置する２ヶ所に、すなわち、このハンガー部４に衣類をかけた場合に、衣類の肩の部分がかかる場所に、乾燥用穴４２を備えている。このような構造のハンガー部４は、通常のハンガーに比べて前後の厚みがある上に衣類の肩の部分に空洞（乾燥用穴４２）があるため、衣類の肩の部分の形崩れがしにくい上に、洗濯物が乾きやすいという効果がある。
【００１８】
このように、１つ１つのハンガー部４が取り外し可能なため、洗濯した衣類を干す際には、首や肩の部分を引っ張りすぎたりすることもなく、簡単に衣類に通すことができるとともに、１つずつ個別に扱うことができるので使用者にとって取り扱いやすく、かつ、干した後は、ハンガー部同士の間隔が均一な複数のハンガー部４に複数の衣類をかけて干すことができるので、乾き具合も均一にすることができる。さらに、１つ１つのハンガー部４の長手方向の２ヶ所に空洞（乾燥用穴４２）があることにより、洗濯物が早く乾くというメリットもある。
【００１９】
図６は、図１に示す物干しハンガー１０において、ハンガー部４が取り付けられていない（取り外されている）状態を示す斜視図（図６（ａ））と、取り外されたハンガー部４を重ね合わせた状態を示す図（図６（ｂ））である。このように、物干しハンガー１０を使用しないときには、複数のハンガー部４を取り外した図６（ａ）に示すような状態で保管しておけるので、使わないときに場所をとらないというメリットもある。また、取り外された複数のハンガー部４も、図６（ｂ）に示すようにコンパクトに重ねて保管しておけるので、同じく場所をとらないというメリットがある。
【００２０】
ここで、上記の実施の形態１では、シンプルな形状のハンガー部４を有する物干しハンガー１０を例に説明したが、ハンガー部４を他の形状のハンガー部５、例えば、衣服の形崩れがしにくいように肩の部分に厚みや丸みのある形状のハンガー部５に置き換えてもよい。
図７は、図４に示すハンガー部４を他の形状のハンガー部５に置き換えた物干しハンガー２０を右側または左側から見た側面図である。図８は、図５に示すハンガー部４を他の形状のハンガー部５に置き換えた物干しハンガーにおいて、引っ掛け部３とハンガー部５の構造の一例を示す拡大図である。
【００２１】
図８（ａ）は斜視図、図８（ｂ）は引っ掛け部３を側面から見た図とハンガー部５を上面から見た図である。ここで、図８（ｂ）の破線が示すとおり、引っ掛け部３の可撓部３２を撓ませていない場合の可撓部３２の横幅と、ハンガー部５の中央付近に設けられた引っ掛け用穴５１の長手方向の幅は、同じ幅である。または、引っ掛け部３の可撓部３２を細く撓ませることにより引っ掛け部３を通すことが可能な大きさであれば、引っ掛け用穴５１の幅の方が少し小さい幅であってもよい。そして、図８（ａ），図８（ｂ）に示された矢印のように、引っ掛け部３がハンガー部５の引っ掛け用穴５１の中を通るように、引っ掛け部３とハンガー部５を嵌合させる。
【００２２】
この際、図８に示すように、引っ掛け部３にはスリットが設けられていることにより可撓部３２が形成され、先端にカギ部３１を備えている可撓部３２を使用者が指で挟んで両側から押さえることにより、引っ掛け部３の可撓部３２を細く撓ませることができる。その結果、ハンガー部５の引っ掛け用穴５１に引っ掛け部３を通すことが可能となり、ハンガー部４の引っ掛け用穴５１に引っ掛け部３を通してから撓ませることをやめれば、引っ掛け部３の先端のカギ部３１がハンガー部５に引っ掛かることにより、ハンガー部５は引っ掛け部３と嵌合して引っ掛け部３に固定される。なお、ハンガー部５を取り外す際にも、引っ掛け部３の可撓部３２を細く撓ませてからハンガー部５の引っ掛け用穴５１を通して抜けば、簡単に取り外すことができる。
【００２３】
また、ハンガー部５は、引っ掛け用穴５１に対してハンガー部５の長手方向の両隣に位置する２ヶ所に、すなわち、このハンガー部５に衣類をかけた場合に、衣類の肩の部分がかかる場所に、乾燥用穴５２を備えている。このような構造のハンガー部５は、通常のハンガーに比べて前後の厚みがある上に衣類の肩の部分に空洞（乾燥用穴５２）があるため、衣類の肩の部分の形崩れがしにくい上に、洗濯物が乾きやすいという効果がある。
【００２４】
このように、１つ１つのハンガー部５が取り外し可能なため、洗濯した衣類を干す際には、首や肩の部分を引っ張りすぎたりすることもなく、簡単に衣類に通すことができるとともに、１つずつ個別に扱うことができるので使用者にとって取り扱いやすく、かつ、干した後は、ハンガー部同士の間隔が均一な複数のハンガー部５に複数の衣類をかけて干すことができるので、乾き具合も均一にすることができる。さらに、１つ１つのハンガー部５の長手方向の２ヶ所に空洞（乾燥用穴５２）があることにより、洗濯物が早く乾くというメリットもある。
【００２５】
図９は、図６に示すハンガー部４を他の形状のハンガー部５に置き換えた物干しハンガーにおいて、ハンガー部５が取り付けられていない（取り外されている）状態を示す斜視図（図９（ａ））と、取り外されたハンガー部５を重ね合わせた状態を示す図（図９（ｂ））である。このように、物干しハンガー２０を使用しないときには、複数のハンガー部５を取り外した図９（ａ）に示すような状態で保管しておけるので、使わないときに場所をとらないというメリットがあり、また、取り外された複数のハンガー部５も、肩の部分に厚みや幅があるような形状であっても、図９（ｂ）に示すようにコンパクトに重ねて保管しておけるので、同じく場所をとらないというメリットがある。
【００２６】
特に、ハンガー部５の形状のように、肩の部分に厚みや幅があるハンガーの場合には、一般的には使用していないときにも場所をとってしまうというデメリットがあるが、この発明のハンガー部５では、図１０に示すように、断面形状を薄い一定の厚さに成形していることにより、図９（ｂ）のように重ね合わせた場合にかさばらず、コンパクトに保管することが可能となる。
【００２７】
ここで、図１０は、図７〜図９に示すハンガー部５の断面形状と斜視図の一例を示す図である。図１０（ａ）は、図８（ｂ）の一点鎖線Ａ−Ａで切った場合のハンガー部５の断面形状を示しており、図１０（ｂ）は、断面が図１０（ａ）の場合にその断面から引っ掛け用穴５１を含む付近の斜視図を示している。また、図１０（ｃ）は、図１０（ｂ）をさらにハンガー部５の長手方向の中心線で切った場合の断面形状を示している。
【００２８】
また、図１１は、引っ掛け部３の別の例として、引っ掛け部３にさらに突起３３が備えられている引っ掛け部３０の構造を示す図であり、図１１（ａ）は正面図、図１１（ｂ）は上面図、図１１（ｃ）は側面図である。ここで、図１１（ａ）および図１１（ｂ）に示す破線は、ハンガー部５の引っ掛け用穴５１がある辺り（引っ掛け部３０と嵌合する部分）のハンガー部５の厚みを示している。
【００２９】
すなわち、引っ掛け部３０の突起３３は、カギ部３１の上端からハンガー部５の厚み分だけ離れた位置に設けられている。このように引っ掛け部３０のカギ部３１の上端からハンガー部５の厚み分だけ離れた位置に突起３３を設けることにより、引っ掛け部３０とハンガー部５を嵌合した際にずれないというメリットがある。なお、ハンガー部４を用いる場合であっても、突起３３を備えた引っ掛け部３０と嵌合させるようにしてもよいことは言うまでもない。この場合にも、引っ掛け部３０のカギ部３１の上端からハンガー部４の厚み分だけ離れた位置に突起３３を設けることにより、引っ掛け部３０とハンガー部４を嵌合した際にずれないというメリットがある。
【００３０】
また、ハンガー部５の断面形状を図１０に示すように薄くすると、強度が落ちるという問題を解決するために、ハンガー部５の伸びる方向（長い辺の方向）に沿って真ん中に凹みを設け、アーチの数を増やした形状としてもよい。図１２は、図７〜図９に示すハンガー部５の断面形状と斜視図の別の一例を示す図である。図１２（ａ）は、ハンガー部５の断面のアーチの数が２つの場合の、図８（ｂ）の一点鎖線Ａ−Ａで切ったハンガー部５の断面形状を示しており、図１２（ｂ）は、断面が図１２（ａ）の場合にその断面から引っ掛け用穴５１を含む付近の斜視図を示している。また、図１２（ｃ）は、図１２（ｂ）をさらにハンガー部５の長手方向の中心線で切った場合の断面形状を示している。
【００３１】
ここでは、図１１に示すような、突起３３を備えている引っ掛け部３０を用いる場合を前提として、図１２に示すハンガー部５は凹部５３を備えている。すなわち、図１０に示すような断面形状のハンガー部５であれば、引っ掛け部３０のように突起３３を備えていたとしても問題なく引っ掛け部３０がハンガー部５と嵌合することができるが、図１２に示すような断面形状のアーチの数が２つあるハンガー部５の場合には、引っ掛け部３０の突起３３がアーチに当たってしまい、ハンガー部５に引っ掛け部３０を嵌合することができないので、凹部５３を備えるようにすることにより、突起３３がハンガー部５の凹部５３とうまく嵌まって、引っ掛け部３０とハンガー部５を嵌合することができる。
【００３２】
以上のように、この実施の形態１の物干しハンガー１０，２０によれば、１つ１つのハンガー部４，５が取り外し可能なため、洗濯した衣類を干す際には、首や肩の部分を引っ張りすぎたりすることもなく、簡単に衣類に通すことができるとともに、１つずつ個別に扱うことができるので使用者にとって取り扱いやすく、かつ、干した後は、ハンガー部同士の間隔が均一な複数のハンガー部４，５に複数の衣類をかけて干すことができるので、乾き具合も均一にすることができる。さらに、１つ１つのハンガー部４，５の長手方向の２ヶ所に空洞（乾燥用穴４２，５２）があることにより、洗濯物が早く乾くというメリットがある。また、物干しハンガー１０，２０を使用しないときには、複数のハンガー部４，５を取り外した状態で保管しておけるので、使わないときに場所をとらないというメリットもある。
【００３３】
なお、本願発明はその発明の範囲内において、実施の形態の任意の構成要素の変形、もしくは実施の形態の任意の構成要素の省略が可能である。
【符号の説明】
【００３４】
１  フック部
２  主軸部
３，３０  引っ掛け部
４，５  ハンガー部
１０，２０  物干しハンガー
３１  引っ掛け部３のカギ部
３２  引っ掛け部３の可撓部
３３  引っ掛け部３０の突起
４１  ハンガー部４の引っ掛け用穴
４２  ハンガー部４の乾燥用穴
５１  ハンガー部５の引っ掛け用穴
５２  ハンガー部５の乾燥用穴
５３  ハンガー部５の凹部
【図１】
2019202034.tif 000003
【図２】
2019202034.tif 000004
【図３】
2019202034.tif 000005
【図４】
2019202034.tif 000006
【図５】
2019202034.tif 000007
【図６】
2019202034.tif 000008
【図７】
2019202034.tif 000009
【図８】
2019202034.tif 000010
【図９】
2019202034.tif 000011
【図１０】
2019202034.tif 000012
【図１１】
2019202034.tif 000013
【図１２】
2019202034.tif 000014